(57)【要約】【課題】  大容量のメモリを搭載したり、大容量の地図データをやりとりすることなく、アンテナ感度が良好な位置への方向を容易にかつ短時間で表示可能な携帯電話機を提供する。【解決手段】  携帯電話機１はアンテナ１１を通して受信回路１２にて電波を受け、感度検出回路１３にてアンテナ１１の感度の状態を確認し、位置検知回路１５や方角検知回路１４を使用し、その時のアンテナ１１の感度と位置関係とを収集し、情報記憶回路１６にデータとして蓄積しておく。携帯電話機１はアンテナ１１の感度が悪い状態で受信を行う等の場合、アンテナ１１の感度が良好な位置への方向を表示回路１７で判断してＬＣＤ表示部１８への矢印等の表示やＬＥＤ点灯１９、及び音声アナウンス２０にてアンテナ１１の感度が良好な位置への方向を通知する。【選択図】      図１                                                  
2005333283.tif 000002
【特許請求の範囲】
【請求項１】
電波状況を検出する検出手段を含む携帯電話機であって、前記電波状況の良好な場所の情報を予め収集する収集手段と、前記収集手段で収集された情報を蓄積する記憶回路と、前記電波状況が悪くなった時に前記記憶回路の情報を基に前記電波状況の良好な場所への方向を外部に通知する通知手段とを有することを特徴とする携帯電話機。
【請求項２】
前記収集手段は、少なくとも前記情報を前回収集した位置からの方向と前記情報を前回収集した位置における前記電波状況から現在の電波状況への変化の情報とを収集することを特徴とする請求項１記載の携帯電話機。
【請求項３】
前記収集手段は、位置情報を取得する位置検知回路と、前記情報を前回収集した位置からの方向を取得する方角検知回路とのうちの少なくとも一方からの情報を基に前記電波状況の良好な場所の情報を収集することを特徴とする請求項１または請求項２記載の携帯電話機。
【請求項４】
前記位置検知回路は、ＧＰＳ（Ｇｌｏｂａｌ  Ｐｏｓｉｔｉｏｎｉｎｇ  Ｓｙｓｔｅｍ）であることを特徴とする請求項１から請求項３のいずれか記載の携帯電話機。
【請求項５】
前記方角検知回路は、磁気コンパスであることを特徴とする請求項１から請求項４のいずれか記載の携帯電話機。
【請求項６】
前記通知手段は、前記電波状況の良好な場所への方向をＬＣＤ（Ｌｉｑｕｉｄ  Ｃｒｙｓｔａｌ  Ｄｉｓｐｌａｙ）上に矢印で表示することを特徴とする請求項１から請求項５のいずれか記載の携帯電話機。
【請求項７】
前記通知手段は、ＬＥＤ（Ｌｉｇｈｔ  Ｅｍｉｔｔｉｎｇ  Ｄｉｏｄｅ）を点灯して前記電波状況の良好な場所への方向を表示することを特徴とする請求項１から請求項６のいずれか記載の携帯電話機。
【請求項８】
前記通知手段は、音声アナウンスにて前記電波状況の良好な場所への方向を通知することを特徴とする請求項１から請求項７のいずれか記載の携帯電話機。
【請求項９】
電波状況を検出する検出手段を含む携帯電話機に用いられるアンテナ感度良好位置表示方法であって、前記携帯電話機側に、前記電波状況の良好な場所の情報を予め収集するステップと、その収集された情報を記憶回路に蓄積するステップと、前記電波状況が悪くなった時に前記記憶回路に蓄積された情報を基に前記電波状況の良好な場所への方向を外部に通知するステップとを有することを特徴とするアンテナ感度良好位置表示方法。
【請求項１０】
前記電波状況の良好な場所の情報を収集するステップは、少なくとも前記情報を前回収集した位置からの方向と前記情報を前回収集した位置における前記電波状況から現在の電波状況への変化の情報とを収集することを特徴とする請求項９記載のアンテナ感度良好位置表示方法。
【請求項１１】
前記電波状況の良好な場所の情報を収集するステップは、位置情報を取得する位置検知回路と、前記情報を前回収集した位置からの方向を取得する方角検知回路とのうちの少なくとも一方からの情報を基に前記電波状況の良好な場所の情報を収集することを特徴とする請求項９または請求項１０記載のアンテナ感度良好位置表示方法。
【請求項１２】
前記位置検知回路は、ＧＰＳ（Ｇｌｏｂａｌ  Ｐｏｓｉｔｉｏｎｉｎｇ  Ｓｙｓｔｅｍ）であることを特徴とする請求項９から請求項１１のいずれか記載のアンテナ感度良好位置表示方法。
【請求項１３】
前記方角検知回路は、磁気コンパスであることを特徴とする請求項９から請求項１２のいずれか記載のアンテナ感度良好位置表示方法。
【請求項１４】
前記電波状況の良好な場所への方向を通知するステップは、前記電波状況の良好な場所への方向をＬＣＤ（Ｌｉｑｕｉｄ  Ｃｒｙｓｔａｌ  Ｄｉｓｐｌａｙ）上に矢印で表示することを特徴とする請求項９から請求項１３のいずれか記載のアンテナ感度良好位置表示方法。
【請求項１５】
前記電波状況の良好な場所への方向を通知するステップは、ＬＥＤ（Ｌｉｇｈｔ  Ｅｍｉｔｔｉｎｇ  Ｄｉｏｄｅ）を点灯して前記電波状況の良好な場所への方向を表示することを特徴とする請求項９から請求項１４のいずれか記載のアンテナ感度良好位置表示方法。
【請求項１６】
前記電波状況の良好な場所への方向を通知するステップは、音声アナウンスにて前記電波状況の良好な場所への方向を通知することを特徴とする請求項９から請求項１５のいずれか記載のアンテナ感度良好位置表示方法。
【発明の詳細な説明】
【技術分野】
【０００１】
本発明は携帯電話機及びそれに用いるアンテナ感度良好位置表示方法に関し、特に携帯電話機による通信時のアンテナ感度の良好な場所を探索する方法に関する。
【背景技術】
【０００２】
従来、携帯電話機においては、電波状態が良好か否かをＬＣＤ（Ｌｉｑｕｉｄ  Ｃｒｙｓｔａｌ  Ｄｉｓｐｌａｙ）表示画面にアンテナ形状で表示するようにしている。
【０００３】
また、通常、携帯電話機等で通信する場合には電波状態が悪いと、電波を中継させる装置を用いることが考えられる。しかしながら、実際、中継装置を増やせない場合には、携帯電話機のユーザが少しでもアンテナ感度の良い場所に移動しなければならない。
【０００４】
このアンテナ感度の良い場所への移動を容易化するための方法としては、表示部に現在位置及びその周辺の受信電界強度の分布を示す画像（地図）を表示する方法がある（例えば、特許文献１参照）。
【０００５】
また、他の方法としては、現在位置が検出されるのと同時にその現在位置に対応する受信電界強度が検出され、地図データ及びその地図データ上に重ねて各位置での受信電界強度が表示される方法がある（例えば、特許文献２参照）。
【０００６】
さらに、別の方法としては、サーバで現在地よりも品質のよい位置を自動的に抽出し、その抽出した無線品質良好位置情報を携帯端末の画面に表示する方法がある（例えば、特許文献３参照）。
【０００７】
【特許文献１】特開２００２−１１２３０３号公報
【特許文献２】特開２００３−１５２６１７号公報
【特許文献３】特開２００３−１９９１５８号公報
【発明の開示】
【発明が解決しようとする課題】
【０００８】
上述した従来のアンテナ感度良好位置表示方法では、建物内や場所によっては電波が届き難く、着信はするがすぐ切れてしまうことがあり、その場合にアンテナ感度の良好な場所に移動して通話を行うが、どの場所が通話に適しているかが分かりにくいという問題がある。
【０００９】
上述した特許文献１〜３各々に記載の方法では、上記の問題点を解決することができるが、表示画面上に受信電界強度の分布や無線品質良好位置情報を表示するために、大容量のメモリを搭載したり、あるいは大容量のデータをサーバ等から受信しなければならないという問題がある。
【００１０】
携帯電話機等の機器では小型化が求められており、地図等の大容量のデータを蓄積しておくメモリを搭載するスペースを確保できないので、上記の特許文献１〜３の方法を採用することが難しい。また、頻繁にいく場所や建物内では、アンテナ感度の良好な場所に移動するのに、大容量の地図データの表示や受信に時間が掛かってしまうため、通話中にアンテナ感度の良好な場所に移動するための方法として適切な方法ではない。
【００１１】
そこで、本発明の目的は上記の問題点を解消し、大容量のメモリを搭載したり、大容量の地図データをやりとりすることなく、アンテナ感度が良好な位置への方向を容易にかつ短時間で表示することができる携帯電話機及びそれに用いるアンテナ感度良好位置表示方法を提供することにある。
【課題を解決するための手段】
【００１２】
本発明による携帯電話機は、電波状況を検出する検出手段を含む携帯電話機であって、前記電波状況の良好な場所の情報を予め収集する収集手段と、前記収集手段で収集された情報を蓄積する記憶回路と、前記電波状況が悪くなった時に前記記憶回路の情報を基に前記電波状況の良好な場所への方向を外部に通知する通知手段とを備えている。
【００１３】
本発明によるアンテナ感度良好位置表示方法は、電波状況を検出する検出手段を含む携帯電話機に用いられるアンテナ感度良好位置表示方法であって、前記携帯電話機側に、前記電波状況の良好な場所の情報を予め収集するステップと、その収集された情報を記憶回路に蓄積するステップと、前記電波状況が悪くなった時に前記記憶回路に蓄積された情報を基に前記電波状況の良好な場所への方向を外部に通知するステップとを備えている。
【００１４】
すなわち、本発明の携帯電話機は、位置測定機能（ＧＰＳ：Ｇｌｏｂａｌ  Ｐｏｓｉｔｉｏｎｉｎｇ  Ｓｙｓｔｅｍ）や方角感知の機能を持ち、アンテナ感度（電波状態）が良好な場所の情報を予め本体内の記憶回路に保存しておき、アンテナ感度が悪くなった場合に、アンテナ感度が良好な場所への方向表示をＬＣＤ（Ｌｉｑｕｉｄ  Ｃｒｙｓｔａｌ  Ｄｉｓｐｌａｙ）表示部やＬＥＤ（Ｌｉｇｈｔ  Ｅｍｉｔｔｉｎｇ  Ｄｉｏｄｅ）点灯、音声アナウンスによって使用者に通知する。
【００１５】
これによって、本発明の携帯電話機では、アンテナ感度が良い場所への方向表示を液晶画面等にて表示することによって、大容量のメモリを搭載したり、大容量の地図データをやりとりすることなく、アンテナ感度良好な位置への方向を容易にかつ短時間で表示することが可能となり、アンテナ感度良好な位置に移動し、アンテナ感度良好な状況で通話することが可能となる。
【００１６】
したがって、本発明の携帯電話機では、アンテナ感度の悪い場所にて着信してすぐに通話が切れてしまっても、この表示方法があれば、アンテナ感度が良好な場所にすぐに行くことが可能となり、重要な話も聞き逃すことがないようになるとともに、こちら側から通信する時もアンテナ感度の良好な場所での通話になるため、相手に不快感を起こさせない。
【発明の効果】
【００１７】
本発明は、以下に述べるような構成及び動作とすることで、大容量のメモリを搭載したり、大容量の地図データをやりとりすることなく、アンテナ感度が良好な位置への方向を容易にかつ短時間で表示することができるという効果が得られる。
【発明を実施するための最良の形態】
【００１８】
次に、本発明の実施例について図面を参照して説明する。図１は本発明の一実施例による携帯電話機の構成を示すブロック図である。図１において、携帯電話機１はアンテナ１１と、受信回路１２と、感度検出回路１３と、方向検知回路１４と、位置検知回路１５と、情報記憶回路１６と、表示回路１７と、ＬＣＤ（Ｌｉｑｕｉｄ  Ｃｒｙｓｔａｌ  Ｄｉｓｐｌａｙ）表示部１８とから構成されている。
【００１９】
携帯電話機１はアンテナ１１を通して受信回路１２にて電波を受け、感度検出回路１３にてアンテナ１１の感度の状態（電波の状態）を確認し、位置検知回路［例えば、ＧＰＳ（Ｇｌｏｂａｌ  Ｐｏｓｉｔｉｏｎｉｎｇ  Ｓｙｓｔｅｍ）等］１５や方角検知回路（例えば、磁気コンパス等）１４を使用し、その時のアンテナ１１の感度と位置関係とを収集し、情報記憶回路１６にデータとして蓄積しておく。
【００２０】
この場合、携帯電話機１は建物内に入るまで位置検知回路１５で位置を検知し、建物内に入ると方角検知回路１４で位置を検知してマッピングしながら、アンテナ１１の感度が良好な位置をデータとして蓄積していく方法が考えられる。
尚、方向検知回路１４としては携帯電話機１に搭載可能なほどの小型のもので、携帯電話機１がどの状態でも地面方向が錘によって下にくるようにし、磁気コンパスとして北を示すとともに、建物の階数がわかるような高度測定が可能な機器を使用する。
【００２１】
また、方向検知回路１４によるマッピングは、建物内部に入った点を基準とし、その位置から方向検知回路１４にてどの方向に向かって移動しているかという情報と、アンテナ１１の感度情報とを蓄積していく方法も考えられ、建物内の階数が変わった場合に立体的なポイント設定に変わり、その位置をマッピングしていくこととなる。
【００２２】
その後に、携帯電話機１はアンテナ１１の感度が悪い状態で受信を行う等の場合、アンテナ１１の感度が良好な位置への方向を表示回路１７で判断してＬＣＤ表示部１８への矢印等の表示やＬＥＤ（Ｌｉｇｈｔ  Ｅｍｉｔｔｉｎｇ  Ｄｉｏｄｅ）点灯１９、及び音声アナウンス２０にてアンテナ１１の感度が良好な位置への方向を通知する。
【００２３】
本実施例では、会社等の建物内におけるアンテナ１１の感度が場所によって違うため、携帯電話機等によるアンテナ１１の感度の良好な場所を、位置検知回路１５や方角検知回路１４によって測定し、予め携帯電話機等に記憶しておき、通信時等において、アンテナ１１の感度の良好な場所への方向を通知している。
【００２４】
また、本実施例では、現在地がアンテナ１１の感度不良の場合、その前に移動してきた場所において、アンテナ１１の感度良好な位置への最短の方向を示すものであり、位置の単位で表示するのではなく、方向を示すものである。距離についてまで表示する場合には、万歩計（登録商標）のように、歩く歩数での大体の距離から導き出す方法も考えられる。
【００２５】
図２は図１のＬＣＤ表示部１８の表示例を示す図であり、図３は本発明の一実施例による携帯電話機１の動作を示すフローチャートである。これら図１〜図３を参照して本発明の一実施例による携帯電話機１のアンテナ感度良好位置表示方法の動作について説明する。
【００２６】
携帯電話機１は予め設定された操作ボタン（図示せず）等の操作が行われると、通信処理であり（図３ステップＳ１）、アンテナ１１の感度が良好であれば（図３ステップＳ５）、通信動作へと進む。
【００２７】
また、携帯電話機１は通信処理でなければ（図３ステップＳ１）、アンテナ感度良好位置検出処理かどうかを判断する（図３ステップＳ２）。携帯電話機１はアンテナ感度良好位置検出処理であれば、建物外であれば位置検知回路１５にて、または建物内であれば方角検知回路１４にて位置を検知し（図３ステップＳ３）、位置をマッピングしながらアンテナ１１の感度が良好な位置をデータとして情報記憶回路１６に蓄積していく（図３ステップＳ４）。
【００２８】
情報記憶回路１６へのデータの蓄積の一つの方法としては、前回のポイントからの方向（東、西、南、北等）と、前回のポイントにおけるアンテナ１１の感度よりもよいか、悪いかの情報、あるいは建物内で階が変化したかの情報（この情報は携帯電話機１のユーザが入力してもよい）等を蓄積する方法が考えられる。
【００２９】
但し、本実施例では、建物内、建物外にかかわらず、アンテナ感度良好位置検出処理の開始が指示された位置を基準とし、あるいはＧＰＳで予め設定された位置が検出された時を基準とし、そのポイントからの所定時間または所定距離毎の方向を、アンテナ１１の感度の変化の情報とともに蓄積していくものとする。
【００３０】
一方、携帯電話機１は通信処理であり（図３ステップＳ１）、アンテナ１１の感度が良好でなければ（図３ステップＳ５）、情報記憶回路１６の蓄積情報を基にアンテナ１１の感度が良好な位置への方向を判断し（図３ステップＳ６）、アンテナ１１の感度が良好な位置への方向をＬＣＤ表示部１８への矢印表示（図２参照）、ＬＥＤ点灯１９、音声アナウンス２０にて通知する（図３ステップＳ７）。
【００３１】
この時、携帯電話機１は情報記憶回路１６に蓄積されたデータにて前回のポイントのアンテナ１１の感度の方が現在のポイントよりよければ、情報記憶回路１６に蓄積された方向の情報を反転（１８０°回転）させてＬＣＤ表示部１８への矢印表示、ＬＥＤ点灯１９、音声アナウンス２０にて通知する。また、携帯電話機１は前回のポイントのアンテナ１１の感度の方が現在のポイントより悪ければ、現在位置をアンテナ１１の感度良好な位置と表示する。
【００３２】
このように、本実施例では、アンテナ１１の感度を検出する感度検出回路１３にて感度良好な場所の位置を位置検知回路１５や方角検知回路１４を用いて情報として情報記憶回路１６に蓄積し、通信時の場所の状態を感度検出回路１３にて確認して悪い場合にその位置の場所を方角検知回路１４にて確認し、情報記憶回路１６内の場所情報と照らし合わせて、ＬＣＤ表示部１８への矢印表示やＬＥＤ点灯１９、音声アナウンス２０にてアンテナ１１の感度良好な場所情報を通知している。
【００３３】
したがって、本実施例では、単にアンテナ１１の感度の情報と、位置情報または方角情報を情報記憶回路１６に記憶していくだけなので、大容量のメモリを搭載することなく、また大容量の地図データ等のやりとりも不要となる。但し、情報記憶回路１６には予め頻繁に訪れる場所（例えば、会社や駅等）毎のデータを蓄積しておき、基準となるポイントでその場所データを読出せばよい。また、情報記憶回路１６に蓄積した情報は上記のアンテナ感度良好位置検出処理を開始する毎に消去したり、上書きするようにしてもよい。
【００３４】
また、本実施例では、アンテナ１１の感度（電波状況）の悪い場所にて着信してすぐに通話が切れてしまっても、上記の表示方法を実行することで、アンテナ１１の感度が良好な場所にすぐに行くことができ、重要な話も聞き逃すことがないようになる。
【００３５】
さらに、本実施例では、こちら側から通信する場合でも、アンテナ１１の感度の良好な場所での通話となるため、その通話の相手にも不快感を与えることはない。
【００３６】
さらにまた、本実施例では、建物内の見取り図とアンテナ１１の感度良好な場所の情報とを携帯電話機１にて予め入手し、その情報を基に急な電話が来ても、快適に通話することができる場所に移動したり、また自分の位置がある程度わかるので、行きたい場所への道案内にもなる。
【産業上の利用可能性】
【００３７】
本実施例では、位置情報を表示することによって、遊園地や観光名所の案内サービスに用いたり、方角検知回路１４を用いたゲーム等のコンテンツにも適用することが可能である。
【図面の簡単な説明】
【００３８】
【図１】本発明の一実施例による携帯電話機の構成を示すブロック図である。
【図２】図１のＬＣＤ表示部の表示例を示す図である。
【図３】本発明の一実施例による携帯電話機の動作を示すフローチャートである。
【符号の説明】
【００３９】
１  携帯電話機
１１  アンテナ
１２  受信回路
１３  感度検出回路
１４  方向検知回路
１５  位置検知回路
１６  情報記憶回路
１７  表示回路
１８  ＬＣＤ表示部
１９  ＬＥＤ点灯
２０  音声アナウンス
【図１】
2005333283.tif 000003
【図２】
2005333283.tif 000004
【図３】
2005333283.tif 000005